(57)【要約】【課題】本発明は、家庭で洗濯することが難しい衣類の脱臭が安価で手軽に行えるようにすることを目的としている。【解決手段】内蓋２８ａの上側にフィルタ４５を備え、フィルタには、亜鉛を担持した酸化チタンと、銀を担持した酸化チタンの双方を保持させることによって構成する。【選択図】図１
2007313141.tif 000002
【特許請求の範囲】
【請求項１】
臭気成分の分解性を有するフィルタであって、亜鉛を担持した酸化チタンと、銀を担持した酸化チタンが表面に付着していることを特徴とする臭気成分分解フィルタ。
【請求項２】
請求項１に記載の臭気成分分解フィルタにおいて、前記フィルタが繊維によって構成されていることを特徴とする臭気成分分解フィルタ。
【請求項３】
請求項１に記載の臭気成分分解フィルタにおいて、前記フィルタが多孔質樹脂によって構成されていることを特徴とする臭気成分分解フィルタ。
【請求項４】
請求項１乃至３のいずれか１項に記載の臭気成分分解フィルタにおいて、前記酸化チタンの平均粒径が１〜５００ナノメートルであることを特徴とする臭気成分分解フィルタ。
【請求項５】
循環風路を設けた洗濯乾燥機において、前記循環風路に請求項１記載のフィルタを備えたことを特徴とする洗濯乾燥機。
【請求項６】
請求項５に記載の洗濯乾燥機において、前記循環風路に吹き込んだ循環空気を水冷除湿する水冷除湿手段を備えたことを特徴とする洗濯乾燥機。
【請求項７】
真空掃除機において、排気経路に請求項１記載のフィルタを備えたことを特徴とする真空掃除機。
【請求項８】
空調機において、空気流路に請求項１記載のフィルタを備えたことを特徴とする空調機。
【請求項９】
冷蔵庫において、循環風路に請求項１記載のフィルタを備えたことを特徴とする冷蔵庫。
【発明の詳細な説明】
【技術分野】
【０００１】
本発明は、臭気成分を分解するフィルタ、およびそれを備えた各種製品、たとえば洗濯乾燥機に関する。
【背景技術】
【０００２】
一般に衣類についた臭いは、洗濯をすることによって汚れとともに臭いも除去することができるが、スーツや、コートなど一般家庭で洗濯が難しい衣類についた臭いは、これまでクリーニングに出したり、天日干しにすることによって脱臭していたが、費用や時間がかかるといった課題があった。
【０００３】
このようなことに対処するために、例えばオゾン発生器により発生させたオゾンを洗濯槽の内部等へ供給するようにし、そのオゾンにより脱臭機能を得るようにしたものが提案されている（例えば、特許文献１参照）。
【０００４】
【特許文献１】特開２００４−２７５２７１号公報
【発明の開示】
【発明が解決しようとする課題】
【０００５】
オゾンは臭気成分の酸化分解によってのみ脱臭を行うので、酢酸などといった酸系の臭いには効果が薄い。さらには、オゾンの酸化作用による、布痛みや変色，色落ちという課題もある。
【０００６】
本発明は上記課題を解決するもので、家庭で洗濯することが難しい衣類の脱臭が安価で手軽に行えるようにすることを目的としている。
【課題を解決するための手段】
【０００７】
本発明は、亜鉛を担持した酸化チタンおよび銀を担持した酸化チタンが表面に付着したフィルタを、循環風路に設置した。亜鉛には単独でも触媒作用があり、また酸化チタンに亜鉛を担持させることによって分解能力が向上するが、これに臭気の吸着能力に優れる銀を担持した酸化チタンを併用することにより、吸着，分解性能共に優れる脱臭フィルタを提供することができる。また、抗菌効果に優れる銀を担持した酸化チタンを使用することによって、フィルタに抗菌効果を付与することもできる。
【０００８】
上記の亜鉛を担持した酸化チタンおよび銀を担持した酸化チタンは、粒径が小さいほど表面積および分散密度が上がり、臭気成分の吸着および分解効果が増大する。しかしながら、粒径が小さすぎると、塗布時に粒子の凝集が起こりやすく、取り扱い性を考慮すると粒径の大きさはある程度以上あるのが望ましい。具体的に上記フィルタが脱臭効果を出し、かつ安定してフィルタに塗布できるための条件は、上記亜鉛を担持した酸化チタンおよび銀を担持した酸化チタンの平均粒径が１〜５００ナノメートルであり、好ましくは３〜５０ナノメートル、特に４〜１０ナノメートルの平均粒径であることが望ましい。
【発明の効果】
【０００９】
亜鉛担持型酸化チタンおよび銀担持型酸化チタンをフィルタ表面に付着させることにより、酸系の臭いを脱臭することができ、安価で手軽に使用することができる臭気成分分解フィルタを提供できる。
【発明を実施するための最良の形態】
【００１０】
本発明の実施の形態を図面を参照して説明する。
【実施例１】
【００１１】
図１は、本発明の一実施の形態である洗濯乾燥機を縦断面して示す模式図である。１は、外郭を構成する四角筒状の外枠である。２は、洗濯兼脱水槽であり、その周壁に通水および通風のための小穴２ａを有し、その上縁部に流体バランサー３を備え、底部の内側には回転自在に撹拌翼４を設置する。撹拌翼４は、通水および通風のための小穴４ａを有する。５は、前記洗濯兼脱水槽２を内包する外槽であり、底部の外側には駆動装置６を鋼板製の取り付けベース７によって取り付け、外枠１の上端部の四隅部に係止した４本の防振支持装置８によって外槽５を四方から均等に吊り下げることにより該外枠１の中心部に懸垂するように支持する。
【００１２】
駆動装置６は、駆動電動機と電動操作クラッチ機構と遊星歯車減速機構を内蔵し、洗濯兼脱水槽２を静止させた状態で撹拌翼４を回転させ（撹拌モード）、洗濯兼脱水槽２と撹拌翼４をそれぞれ反対方向に回転させ（選択モード）、洗濯兼脱水槽２と撹拌翼４を一体的に同一方向に回転（脱水・乾燥モード）させるような選択的な駆動機能を有する。
【００１３】
外側衣類投入口９ａを形成したトップカバー９は、外枠１の上部開口を覆うように該開口端縁に嵌め込み、フロントパネル１０およびバックパネル１１と共に取り付けねじによって外枠１に取り付ける。
【００１４】
トップカバー９とフロントパネル１０の間に形成される前部収納部であるフロントパネルボックス１２には、電源スイッチ１３と入力スイッチ群および表示素子群を備えた操作パネル１４と、外槽５内の水位に応じた水位信号を発生する水位センサ１５と、コントロールユニット１６を内蔵する。これらは、後述する各種のセンサと共に制御装置を構成する。
【００１５】
トップカバー９とバックパネル１１の間に形成される後部収納部であるバックパネルボックス１７には、後述する洗濯水給水手段と高濃度洗剤液生成・供給手段を横並びにして内蔵する。
【００１６】
洗濯水給水手段は、入水側を水栓接続口１８に接続し、出水側を注水口１９に接続した主給水電磁弁２０によって構成する。
【００１７】
高濃度洗剤液生成・供給手段は、補助給水電磁弁２２から洗剤溶解容器２１に洗剤溶解水を供給し、この洗剤溶解容器２１内に投入されている粉末合成洗剤を撹拌しながら前記洗剤溶解水で溶解して高濃度洗剤液を生成し、更なる給水により希釈しながら洗剤溶解容器２１から溢水させて前記注水口１９に供給し、洗剤溶解容器２１に付設した仕上剤投入室に給水することによって溢水させて前記注入口１９に供給するように構成する。
【００１８】
注水口１９は、トップカバー９の底と外槽５の外槽上カバー２８の後部を貫通して洗濯兼脱水槽２の上部開口内に向けて開口する。この注水口１９は、トップカバー９の底と外槽上カバー２８の間には可撓管１９ａ（図２参照）を介在させる。
【００１９】
温風循環乾燥手段は、外槽５の下部の側壁に形成した吸い出し口５ａから該外槽５の後側の外壁面に沿って垂直状態で上向きに伸びるように形成して前記吸い出し口５ａから浸入した洗濯水を堰き止める除湿風路部である水冷除湿ダクト２３と、この水冷除湿ダクト２３内の上部に位置して該ダクト内に冷却水を供給する水冷除湿手段である冷却散水部
２４と、洗濯工程における外槽５の水位よりも高い位置で折り返して該外槽５の外壁面に沿って該外槽５の下側に向かって垂直に伸びる下降風路部である下降風路ダクト２５と、外槽５の下側の空間に配置されて前記下降風路ダクト２５から吸い込み口に空気を吸い込んで循環空気を生成する循環ファン２６と、この循環ファン２６の吹き出し口から外槽５の外壁面に沿って上方向に垂直状態に伸びる上昇風路部である上昇風路ダクト２７と、外槽５の上端部に取り付けた外槽上カバー２８上に設置されて前記上昇風路ダクト２７から送り込まれる循環空気を加熱する加熱手段であるヒータ（ＰＴＣヒータ）２９を内蔵し、加熱した循環空気を洗濯兼脱水槽２内に向けて吹き込む吹き込み口３０を備える。
【００２０】
循環風路を構成する前記水冷除湿ダクト２３，下降風路ダクト２５および上昇風路ダクト２７は、外槽５の後側の外壁面に該外槽５の周方向に並べてその一部を該外槽５と一体成形して実装し、これらの外側を覆う裏側蓋１ａは、外側に膨出する形状に構成してねじ止めする。
【００２１】
また、下降風路ダクト２５内には湿度センサ４０と第１温度センサ４１を設置し、吹き込み口３０のヒータ２９の下流側の間の風路内には第２温度センサ４２を設置する。水冷除湿ダクト２３内で水冷除湿された循環空気の湿度と温度を精度良く検出するためには、水冷除湿された循環空気が良く混合されて均一になった後に前記湿度センサ４０と第１温度センサ４１に触れさせるのが良く、従って、湿度センサ４０と第１温度センサ４１は、水冷除湿ダクト２３から遠く離れた下降風路ダクト２５の下部または循環ファン２６の吸い込み口ケーシング２６ｃ（図２参照）に設置する。更に、湿度センサ４０と第１温度センサ４１は、保守作業に便利なように、裏側蓋１ａを外したときに露出するような設置位置とする。
【００２２】
また、ここでは図示説明を省略するが、水冷除湿ダクト２３から下降風路ダクト２５への折り返し部分には、後述する糸屑捕集手段を備える。
【００２３】
トップカバー９に形成した外側衣類投入口９ａは、２つ折り（山折り）に開くようにヒンジ３１ａによってトップカバー９に取り付けた外蓋３１によって開閉自在に覆い、外槽５の上端に取り付けた外槽上カバー２８に形成した内側衣類投入口２８ａは、ヒンジ32ａによって外槽上カバー２８に取り付けた内蓋３２によって開閉自在に覆うように構成する。
【００２４】
外槽５の底に形成した排水口５ｂは、排水電磁弁３３を介して排水ホース３４に接続する。エアートラップ５ｃは、エアーチューブ３５を介して前記水位センサ１５に接続する。外枠１の下端縁には、四隅に脚３６を取り付けた合成樹脂で成形されたベース３７を装着する。
【００２５】
なお３８は、洗濯兼脱水槽２内に投入された洗濯物である。
【００２６】
図２〜図６は、前述した洗濯乾燥機の具体的な構成を示すもので、図２は洗濯乾燥機の縦断側面図、図３は外枠の後側を切り欠いて循環風路部を示す洗濯乾燥機の背面図、図４は糸屑捕集部の縦断側面図、図５は、第１フィルタの上面図および縦断側面図、図６は、第２フィルタの上面図および縦断側面図である。図１の説明と重複する部分の説明の一部は省略する。
【００２７】
循環風路における水冷除湿ダクト２３の垂直部分は、円筒状の外槽５の最後部位、すなわち、外枠１の裏側蓋１ａに最も近付いた部位に位置するように外槽５に沿わせて該外槽５の側壁の吸い出し口５ａの周縁から連続させて該側壁と一体的に成形により形成する。この水冷除湿ダクト２３は、外槽５と裏側蓋１ａの間の狭隘な空間に配置するために好適なように、奥行きを狭くし、横幅を広げた長方形の風路断面形状に形成する。このように幅広の略長方形の風路断面形状の水冷除湿ダクト２３は、壁面が広くなるので循環空気冷却壁面が増加することから循環空気の冷却除湿に好適である。
【００２８】
下降風路ダクト２５の垂直部分は、前記水冷除湿ダクト２３の横隣に該水冷除湿ダクト２３と共通の側壁となるように外槽５の側壁に一体成形により形成する。この位置は、外槽５の湾曲によって裏側蓋１ａから離れるので、風路断面形状は、奥行きを広げて幅を狭くした略正方形状に形成することにより、循環風路の横幅の広がりを抑制するように構成する。
【００２９】
上昇風路ダクト２７の垂直部分は、前記水冷除湿ダクト２３の反対側の横隣に該水冷除湿ダクト２３と共通の側壁となるように外槽５の側壁に一体成形により形成する。この位置は、外槽５の湾曲によって裏側蓋１ａから離れるので、風路断面形状は、奥行きを広げて幅を狭くした略正方形状に形成することにより、循環風路の横幅の広がりを抑制するように構成する。
【００３０】
このように外槽５の後側の側壁に沿って該側壁に一体成形した各ダクト２３，２５，
２７の外側面は、外枠１の後側の側壁を構成する裏側蓋１ａの膨出部分の内側に所定の間隔で対向するように略直線形状に形成する。そして、この外槽５は、外枠１の上端部の四隅部に結合した補強部材１ｂに係止した４本の防振支持装置８によって外槽５を四方から均等に吊り下げることにより該外枠１の中心部に懸垂するように支持する。
【００３１】
水冷除湿ダクト２３の垂直部分と下降風路ダクト２５の上端部を連通させる上部折り返し部材４４は、外槽５の上端に取り付けた外槽上カバー２８の上面の後部に張り出させ、糸屑捕集手段を構成する糸屑捕集フィルタ４５を内蓋３２の上側から斜めに挿脱可能に収納し、目詰まり解消などの保守作業を容易にする。
【００３２】
この糸屑捕集フィルタ４５は、具体的には、図４〜図６に示すように、循環風路の上流側に位置する偏平な袋状形態の第１フィルタ４５１と、この第１フィルタに対して循環風路の下流側に位置する偏平な網板状形態の第２フィルタ４５２を備える。第１フィルタ
４５１は、袋状濾過部材４５１ａを横向きに開口するように枠体４５１ｂに取り付けて構成し、水冷除湿ダクト２３を吹き上がってくる循環空気を受け入れて横向きに吹き流れる形態の大きな通風面積（濾過面積）を備えたフィルタである。第２フィルタ４５２は、網板状濾過部材４５２ａを枠体４５２ｂに取り付けて構成し、第１フィルタ４５１の下流側である下降風路ダクト２５の上方に位置させて設置することにより、第１フィルタ４５１の吹き流れる袋状濾過部材４５１ａを受け止めて該袋状濾過部材４５１ａが下降風路ダクト２５に吸い込まれるのを防止するようにも機能させる。
【００３３】
このように、第１フィルタ４５１と第２フィルタ４５２を並べて配置した２重構造の糸屑捕集フィルタ４５は、通気抵抗の少ない袋状濾過部材４５１ａによって糸屑の確実な捕集を可能にする。特に、濾過面積の大きい第１フィルタ４５１を狭い上部折り返し部材
４４内に合理的に配置することができる。
【００３４】
また、袋状濾過部材４５１ａの表面には亜鉛担持型酸化チタンと銀担持型酸化チタンを付着させている。臭気成分の分解性能に優れた亜鉛担持型酸化チタンと、臭気の捕集性能に優れた銀担持型酸化チタンの２種類の酸化チタンを付着させることにより、循環気流中の臭気成分を効果的に脱臭することができる。
【００３５】
本発明には触媒化成工業製，亜鉛担持型酸化チタン分散液ＡＴＯＭＹ−ＢＡＬＬ（ＴＺ−Ｒ）および銀担持型酸化チタン分散液ＡＴＯＭＹ−ＢＡＬＬ（Ｌ）を使用した。ATOMY−ＢＡＬＬ（ＴＺ−Ｒ）は酸化チタンの表面に部分的に亜鉛を担持させ、水中に分散させた分散液である。ＡＴＯＭＹ−ＢＡＬＬ（Ｌ）は、同様に酸化チタンの表面に部分的に銀を担持させ、水中に分散させた分散液である。これらの酸化チタンの平均粒径は約５ナノメートルと非常に小さいため、比表面積が大きく、かつフィルタ上に緻密に分散させることが可能なため、循環気流中の臭気成分を効果的に捕集，分解することができる。
【００３６】
袋状濾過部材４５１ａへの酸化チタンの付着方法について説明する。ＡＴＯＭＹ−BALL（ＴＺ−Ｒ）４０％，ＡＴＯＭＹ−ＢＡＬＬ（Ｌ）４０％，水２０％の混合液に、袋状濾過部材４５１ａを浸した後、室温にて放置し乾燥させることにより、袋状濾過部材451ａの表面に酸化チタンを付着させることができる。
【００３７】
表１に、混合液中のＡＴＯＭＹ−ＢＡＬＬ（ＴＺ−Ｒ）の混合比と、前記混合液を塗布した袋状濾過部材４５１ａのアンモニア分解能力を示す。試験方法は３Ｌテドラーバッグ法によって行い、アンモニアの濃度計測にはガステック検知管を使用した。
【００３８】
【表１】
2007313141.tif 000003
【００３９】
ＡＴＯＭＹ−ＢＡＬＬ（ＴＺ−Ｒ）とＡＴＯＭＹ−ＢＡＬＬ（Ｌ）の混合比率は任意に決められるが、表１に示すように前記ＡＴＯＭＹ−ＢＡＬＬ（ＴＺ−Ｒ）の混合比が４０％以上あると、アンモニア分解率が９０％以上となり、効果的な脱臭を行うことができる。
【００４０】
表２に、混合液中のＡＴＯＭＹ−ＢＡＬＬ（Ｌ）の混合比と、前記混合液を塗布した袋状濾過部材４５１ａの抗菌試験結果を示す。試験方法はＪＩＳ  Ｌ１９０２抗菌試験法によって行い、試験菌には黄色ブドウ球菌を使用した。
【００４１】
【表２】
2007313141.tif 000004
【００４２】
表２に示すように、袋状濾過部材４５１ａに抗菌作用を付与させる場合は、ＡＴＯＭＹ−ＢＡＬＬ（Ｌ）の混合比を２０％以上にすると、静菌活性値が３.０ 以上となり抗菌効果が発揮される。さらに望ましくはＡＴＯＭＹ−ＢＡＬＬ（Ｌ）の混合比を４０％以上とすると生菌数は＜２０となり、さらに効果的な抗菌効果を付与することができる。
【００４３】
上記構成において動作を説明する。衣類の脱臭を行うときは、洗濯物３８を攪拌翼４の上に置き、循環ファン２６を駆動しヒータ２９によって加熱された温風を洗濯兼脱水槽内へ送風する。これにより、衣類についている臭いは、温風とともに衣類から取り去り、循環温風に放出された臭いは第一フィルタ４５１に付着させた、亜鉛担持型酸化チタンおよび銀担持型酸化チタンによって捕集，分解される。そして脱臭された温風を再び洗濯兼脱水槽内へ送風することにより、臭いを衣類から取り去ることができ、衣類を洗濯することなく効果的に衣類の脱臭を行うことができる。
【００４４】
このとき、冷却散水部２４から水冷除湿ダクト２３内に冷却水を供給することによって、循環温風の除湿を行うと同時に、循環温風中の臭気成分を冷却水中に溶解させて、より効果的に脱臭を行うことができる。
【実施例２】
【００４５】
本発明を電気掃除機に適用した場合の実施例を挙げる。図８は本発明による一実施例を示す電気掃除機の斜視図であり、室内にある状態を示している。同図において、電気掃除機は、掃除機本体７０１，ホース７０２，延長管７０４、及び吸口７０５から基本的に構成されている。掃除機本体７０１には制御回路や電動送風機等が内蔵され、ホース７０２は掃除機本体７０１の吸込口部に接続される。延長管７０４の基端側は前記ホース７０２に接続され、先端側は吸口７０５に接続される。延長管７０４の基端側には、使用者が手で握って操作するためのホース手元部７０３が設けられている。ホース手元部７０３にはスイッチ操作部７０６と赤外線発光部７０７が設けられ、掃除機本体７０１の上面には前記赤外線発光部７０７によって発光した赤外線を受光する赤外線受光部７０８が設けられている。また、掃除機本体７０１の背面側には排気口部７０９が配されている。
【００４６】
図７は前記掃除機本体７０１の縦断面図である。掃除機本体７０１は、本体下部を覆う下ケース６０１，本体上部前面を覆う蓋体６０２，蓋体６０２上に設けられた吸込口603、この吸込口６０３につながる集塵室６０４，集塵室６０４の後部にあって下ケース601
と上ケース６０５とで形成される電動送風機室６０６，下ケース６０１の後方下部の左右両側に設けられた一対の大径の後方車輪６０７，前方下部の底面中央に設けられた小径の自在車輪６０８から主に構成されている。集塵室６０４には集塵袋６０９が、電動送風機室６０６には塵埃を補集するための電動送風機６１０がそれぞれ収納されている。この電動送風機６１０の吸気側は、仕切り板６１１とこの仕切り板６１１に沿って設置された中間フィルタ６１２を介して集塵室６０４と連通している。上ケース６０５の上部には、上ケースカバー６１３で覆われた基板収納部６１４が形成され、制御基板６１５が収納されている。電動送風機室６０６の後部には排気流路６１６を経て前記排気口部７０９が配置されている。この排気口部７０９には、脱臭フィルタ６１７と排気フィルタカバー部618とが設けられている。
【００４７】
脱臭フィルタ６１７はアクリル不織布から構成し、このアクリル不織布の表面に前記
ＡＴＯＭＹ−ＢＡＬＬ（ＴＺ−Ｒ）４０％，ＡＴＯＭＹ−ＢＡＬＬ（Ｌ）４０％，水２０％の混合液を噴霧した後、室温にて放置し乾燥させることにより、脱臭フィルタ６１７の表面に亜鉛担持型酸化チタンおよび銀担持型酸化チタンを付着させた。
【００４８】
次に図７及び図８を用いて、本実施形態に係る電気掃除機の動作について説明する。
【００４９】
掃除機使用者がホース手元部７０３に設けられたスイッチ操作部７０６の１つを押すと、赤外線発光部７０７から発信された赤外信号は掃除機本体７０１の赤外線受光部７０８に伝達され、制御基板６１５を介してワイヤレスで掃除機を操作する。掃除機が作動すると、電動送風機６１０の吸引動作によって吸口７０５，延長管７０４及びホース７０２を通じて空気流ともに吸入されたゴミ，塵埃類やダニ，微生物類は集塵袋６０９に収集される。そして、これら固形物が取り除かれた空気流は、中間フィルタ６１２及び電動送風機室６０６を経て、排気流路６１６を通り、脱臭フィルタ６１７に付着させた亜鉛担持型酸化チタンおよび銀担持型酸化チタンにより、臭気成分を捕集，分解された後、外部へ放出される。
【００５０】
本実施例においては、前記脱臭フィルタ６１７を掃除機本体排気口部７０９に設けたが、この位置に限るものではない。集塵袋６０９に捕集された塵埃等から発生する臭気成分を捕集，分解するためには、廃棄流路において、前記集塵袋６０９以降の流路に設けることができる（図示せず）。本実施例において、排気口部７０９に設けたのは捕集された塵埃からだけでなく、掃除機本体流路中から発生する臭気成分をも捕集し、脱臭することができるからである。また集塵室６０４に接する部位に、前記フィルタを設けることができる（図示せず）。この場合は、掃除機本体が動作をしていなくても、捕集した塵埃等から発生した臭気成分が、集塵室内に滞留することなく脱臭できるため、より効果的である。さらにいえば本発明による臭気成分分解フィルタは、１カ所だけではなく、２カ所以上の複数個を設置できることは言うまでもない。
【実施例３】
【００５１】
本発明を空調機に適用した場合の実施例を挙げる。図９は本発明による一実施例を示す空調機の概略断面図である。空調機は室内ユニット８０１，室外ユニット８２１およびそれらを連結する冷媒配管８１１，８１１′より構成されている。室内ユニット８０１は熱交換器８０２，ファン８０３，フィルタ８０４および吹出空気ダクト８０５から成り、通常、吹出空気ダクト８０５の出口にはルーバ８０８が設置してある。空気の吸込口は室内ユニット８０１の上部および前面に設けてある。そして、前面吸気口８０６には前面開閉パネル８０７が付設してある。この前面開閉パネル８０７は、運転時には上方に移動して前面吸気口８０６を開き、停止時には前面吸気口８０６の前方に移動して前面吸気口806を閉じるようになっている。熱交換器８０２はドレイン８０９，８０９′の上の設置してあり、冷房運転時に熱交換器８０２に発生する凝縮水をドレイン８０９，８０９′で受けて排水するようになっている。
【００５２】
フィルタ８０４はアクリル不織布から構成し、このアクリル不織布の表面に前記ATOMY−ＢＡＬＬ（ＴＺ−Ｒ）４０％，ＡＴＯＭＹ−ＢＡＬＬ（Ｌ）４０％，水２０％の混合液を噴霧した後、室温にて放置し乾燥させることにより、フィルタ８０４の表面に亜鉛担持型酸化チタンおよび銀担持型酸化チタンを付着させた。
【００５３】
本構成において、空調機を運転すると、ファン８０３が回転し、室内の空気を吸気口
８０６から吸気し、フィルタ８０４を通り、熱交換器８０２で熱交換を行い、吹出空気ダクト８０５からルーバ８０８により吹き出し方向を制御されて、熱交換された空気が室内に循環する。この時、吸気口８０６から吸気し、フィルタ８０４を通る空気は、フィルタ８０４の表面に付着させた亜鉛担持型酸化チタンおよび銀担持型酸化チタンに捕集，分解されることで臭気成分を除去，脱臭することができる。これにより、例えば煙草の臭いや生活臭など、居住空間である室内の臭気を脱臭し、快適な生活空間を実現できる空調機を提供することができる。
【実施例４】
【００５４】
本発明を冷蔵庫に適用した場合の実施例を挙げる。図１０は、本発明による一実施例を示す冷蔵庫の縦断面図である。冷蔵庫本体９０１は、上より冷蔵室９０２，野菜室９０４，上段冷凍室９０８ａ，下段冷凍室９０８ｂを備えており、冷蔵室扉９０３が回転扉になっており、野菜室扉９０５及び冷凍室の扉が引出式の扉になっている。
【００５５】
野菜室９０４の内部には、密閉性を高めて間接冷却する野菜容器９０４ｂと、野菜容器蓋９０４ａとが配置されており、貯蔵する野菜を高湿度に保ったまま間接冷却を行う。
【００５６】
野菜室９０４の背面部は、冷蔵室ファン９０６及び冷蔵室冷却器９０７を配置しており、冷蔵室冷却器９０７にて冷却した空気を、冷気通路９１３を介して冷蔵室９０２へと流入させている。冷蔵室９０２内の冷気は、冷蔵室９０２と野菜室９０４との間に設けた孔より流出して、野菜室９０４へと流入し、その後再び冷蔵室冷却器９０７にて冷やされる。冷蔵室冷却器９０７及び冷凍室冷却器９１１は、コンプレッサ９１２と配管接続され、冷凍サイクルを構成している。
【００５７】
脱臭剤９１４は多孔質発泡体から構成し、この多孔質発泡体に前記ＡＴＯＭＹ−BALL
（ＴＺ−Ｒ）４０％，ＡＴＯＭＹ−ＢＡＬＬ（Ｌ）４０％，水２０％の混合液を噴霧した後、室温にて放置し乾燥させることにより、脱臭剤９１４の表面に亜鉛担持型酸化チタンおよび銀担持型酸化チタンを付着させた。
【００５８】
前述した冷気通路９１３は、冷蔵室９０２及び野菜室９０４を冷却する冷気が集中する部分であり、脱臭剤９１４は、この冷気通路９１３に設置することで効率的に脱臭を行うことができる。
【００５９】
実施例１を例に挙げて、本発明の効果を図１１に示す。図１１は、袋状濾過部材451ａについて、塗布なし（ブランク），亜鉛担持型酸化チタンのみ塗布，亜鉛担持型酸化チタンおよび銀担持型酸化チタン塗布の３種類を作成し、アンモニアガスの脱臭効果を示したものである。脱臭試験は３Ｌテドラーバッグ法によって行い、アンモニアガス濃度計測にはガステック検知管を使用した。この図により、亜鉛担持型酸化チタンを塗布した袋状濾過部材４５１ａは、ブランクに対し脱臭効果を示すことができるが、亜鉛担持型酸化チタンおよび銀担持型酸化チタンを塗布した袋状濾過部材４５１ａは、さらに大きな脱臭効果を示すことがわかる。
【００６０】
図１２は実施例１において、各臭気を染みこませた布を攪拌翼４上に設置し、実施例１の動作を３０分行い、洗濯兼脱水槽内の臭気成分ガス濃度の経時変化を測定したものであり、アンモニアの脱臭効果，アセトアルデヒドの脱臭効果，酢酸の脱臭効果を示す。図
１２に示すように、実施例１の動作を３０分間行うと、タバコの代表臭であるアンモニア，アセトアルデヒド，酢酸のガス濃度を０ppm にすることができる。
【図面の簡単な説明】
【００６１】
【図１】本発明になる洗濯乾燥機の一実施の形態を示す模式図。
【図２】本発明になる洗濯乾燥機の具体的な構成を示す縦断側面図。
【図３】図２に示した洗濯乾燥機の外枠の後側を切り欠いて循環風路部を示す背面図。
【図４】糸屑捕集部の縦断側面図。
【図５】図４に示した糸屑捕集部における第１フィルタの上面図および縦断側面図。
【図６】図４に示した糸屑捕集部における第２フィルタの上面図および縦断側面図。
【図７】本発明による一実施例を示す電気掃除機の縦断面図。
【図８】本発明による一実施例を示す電気掃除機の斜視図。
【図９】本発明による一実施例を示す空調機の概略断面図。
【図１０】本発明による一実施例を示す冷蔵庫の縦断面図。
【図１１】本発明の一実施例におけるフィルタ単体でのアンモニアの脱臭効果。
【図１２】本発明の一実施例におけるアンモニア，アセトアルデヒド，酢酸の脱臭効果。
【符号の説明】
【００６２】
１…外枠、１ａ…裏側蓋、１ｂ…補強部材、２…洗濯兼脱水槽、２ａ，４ａ…小穴、３…流体バランサー、４…撹拌翼、５…外槽、５ａ…吸い出し口、５ｂ…排水口、５ｃ…エアートラップ、６…駆動装置、７…ベース、８…防振支持装置、９…トップカバー、９ａ…外側衣類投入口、１０…フロントパネル、１１…バックパネル、１２…フロントパネルボックス、１３…電源スイッチ、１４…操作パネル、１５…水位センサ、１６…コントロールユニット、１７…バックパネルボックス、１８…水栓接続口、１９…注水口、１９ａ…可撓管、２０…主給水電磁弁、２１…洗剤溶解容器、２２…補助給水電磁弁、２３…水冷除湿ダクト、２４…冷却散水部、２５…下降風路ダクト、２６…循環ファン、２７…上昇風路ダクト、２８…外槽上カバー、２９…ＰＴＣヒータ、３０…吹き込み口、３１…外蓋、３１ａ，３２ａ…ヒンジ、３２…内蓋、３３…排水電磁弁、３４…排水ホース、３５…エアーチューブ、３６…脚、３７…ベース、３８…洗濯物、４０…湿度センサ、４１…第１温度センサ、４２…第２温度センサ、４４…上部折り返し部材、４５…糸屑捕集フィルタ、４５１…第１フィルタ、４５１ａ…袋状濾過部材、４５１ｂ，４５２ｂ…枠体、
４５２…第２フィルタ、４５２ａ…網板状濾過部材、６０１…下ケース、６０２…蓋体、６０３…吸込口、６０４…集塵室、６０５…上ケース、６０６…電動送風機室、６０７…後方車輪、６０８…自在車輪、６０９…集塵袋、６１０…電動送風機、６１１…仕切り板、６１２…中間フィルタ、６１３…上ケースカバー、６１４…基板収納部、６１５…制御基板、６１６…排気流路、６１７…脱臭フィルタ、６１８…排気フィルタカバー部、701…掃除機本体、７０２…ホース、７０３…ホース手元部、７０４…延長管、７０５…吸口、７０６…スイッチ操作部、７０７…赤外線発光部、７０８…赤外線受光部、７０９…排気口部、８０１…室内ユニット、８０２…熱交換器、８０３…ファン、８０４…フィルタ、８０５…吹出空気ダクト、８０７…前面開閉パネル、８０８…ルーバ、８０９，809′…ドレイン、８１１，８１１′…冷媒配管、８２１…室外ユニット、９０１…冷蔵庫本体、９０２…冷蔵室、９０３…冷蔵室扉、９０４…野菜室、９０５…野菜室扉、９０６…冷蔵室ファン、９０７…冷蔵室冷却器、９０８ａ…上段冷凍室、９０８ｂ…下段冷凍室、
９１１…冷凍室冷却器、９１２…コンプレッサ、９１３…冷気通路、９１４…脱臭剤。
【図１】
2007313141.tif 000005
【図２】
2007313141.tif 000006
【図３】
2007313141.tif 000007
【図４】
2007313141.tif 000008
【図５】
2007313141.tif 000009
【図６】
2007313141.tif 000010
【図７】
2007313141.tif 000011
【図８】
2007313141.tif 000012
【図９】
2007313141.tif 000013
【図１０】
2007313141.tif 000014
【図１１】
2007313141.tif 000015
【図１２】
2007313141.tif 000016